(57)【要約】【課題】  ハンドルの反対側の側板を親指及び人差し指で挟持した状態で確実にかつ安定して保持でき、掌全体で握持した状態でも安定して確実に保持することのできる魚釣用リールを提供すること。【解決手段】  一対の側板１５ａ，１５ｂ間に回転自在に支持したスプール２０を、ハンドル２６の回転操作で釣り糸巻取り駆動を可能とした魚釣用リールであって、釣竿取付部１８から離隔する上方に向き、握持する手の親指を係止する上面部４８と、スプール２０から軸方向に離隔する外方に向き、握持する手の人差し指を係止する側面部５０とを有し、これらの上面部４８と側面部５０との少なくとも一方に、内側から外縁部４９に向けて外方および上方に湾曲する湾曲面を形成し、親指の腹部とこの親指の腹部に対向する掌の側面部または人差し指との間で挟持可能な指掛け部５２を、反ハンドルの側板の外周部に沿って配置したこ魚釣用リール。【選択図】      図３
2009247321.tif 000002
【特許請求の範囲】
【請求項１】
一対の側板間に回転自在に支持したスプールを、一方の側板に設けたハンドルの回転操作で釣り糸巻取り駆動を可能とした魚釣用リールであって、
前記他方の側板の外周面の後方から釣り糸を繰り出す前方に向けて延びる部位に、握持する手の親指を係止する指掛け部を形成したことを特徴とする魚釣用リール。
【請求項２】
一対の側板間に回転自在に支持したスプールを、一方の側板に設けたハンドルの回転操作で釣り糸巻取り駆動を可能とした魚釣用リールであって、
釣竿取付部から離隔する上方に向き、握持する手の親指を係止する上面部と、スプールから軸方向に離隔する外方に向き、握持する手の人差し指を係止する側面部とを有し、これらの上面部と側面部との少なくとも一方に、内側から外縁部に向けて外方および上方に湾曲する湾曲面を形成し、親指の腹部とこの親指の腹部に対向する掌の側面部または人差し指との間で挟持可能な指掛け部を、他方の側板の外周部に沿って配置したことを特徴とする魚釣用リール。
【請求項３】
前記指掛け部は、スプールの後方部位から釣り糸を繰り出す前方に向けて延び、外縁部が、前記他方の側板の外周面よりもスプールから上方に離隔した部位に突出する突起部で形成される請求項１又は２に記載の魚釣用リール。
【請求項４】
前記側面部は、前記他方の側板の外側面に凹設された面で形成される請求項２又は３に記載の魚釣用リール。
【請求項５】
一対の側板間に回転自在に支持したスプールを、一方の側板に設けたハンドルの回転操作で釣り糸巻取り駆動を可能とした魚釣用リールに取付けられ、握持する手で把持可能な指掛け用部材であって、
他方の側板の外周部に取付けられたときに、釣竿取付部から離隔する上方に向き、握持する手の親指を係止する上面部と、スプールから軸方向に離隔する外方に向き、握持する手の人差し指を係止する側面部とを有し、これらの上面部と側面部との少なくとも一方に、内側から外縁部に向けて外方および上方に湾曲する湾曲面を形成し、親指の腹部とこの親指の腹部に対向する掌の側面部または人差し指との間で挟持可能な指掛け部を、他方の側板の外周部に沿って形成することを特徴とする指掛け部材。
【発明の詳細な説明】
【技術分野】
【０００１】
本発明は、一対の側板間に回転自在に支持したスプールを、一方の側板に設けたハンドルの回転操作で釣り糸巻取り駆動を可能とした魚釣用リール、および、この魚釣用リールに用いられる指掛け用部材に関する。
【背景技術】
【０００２】
従来、釣り糸の巻取り操作やフッキング操作時に、魚釣用リールを確実に保持するため、スプールの後方部位における一対の側板間に親指載置板を配置し、この親指載置板上のハンドル側に規制部を固定し、この規制部と反ハンドル側の側板との間に、この親指載置板に載置した親指がハンドル側に移動するのを記載するための凹部を形成する魚釣用両軸受型リールが開発されている（例えば特許文献１参照）。
【０００３】
このような親指の移動を規制する凹部を形成した魚釣用両軸受型リールでは、親指の付根部分の母指球の部位を凹部内に配置した状態で親指載置板上に載置することで、親指の左右の振れが抑制され、スプールに対するサミング操作も安定して行うことができる。
【特許文献１】特許第３１０４６８３号公報
【発明の開示】
【発明が解決しようとする課題】
【０００４】
しかし、一般に、魚釣用リールを安定させて握持保持する場合には、掌の中にリール本体を深く握り込む必要があり、この場合には、親指載置部材の上で、ハンドル側に位置する規制部を超えて延びる親指が不安定となり、フィット性に欠けると共に、安定して確実にリール本体を握持保持することが困難となる。
【０００５】
本発明は、このような事情に基づいてなされたもので、ハンドルの反対側の側板を親指で確実にかつ安定して保持でき、掌全体で握持した状態でも安定して確実に保持することのできる魚釣用リールを提供することを目的とする。
【課題を解決するための手段】
【０００６】
上記目的を達成するため、本発明によると、一対の側板間に回転自在に支持したスプールを、一方の側板に設けたハンドルの回転操作で釣り糸巻取り駆動を可能とした魚釣用リールであって、前記他方の側板の外周面の後方から釣り糸を繰り出す前方に向けて延びる部位に、握持する手の親指を係止する指掛け部を形成した魚釣用リールが提供される。
【０００７】
また、本発明によると、一対の側板間に回転自在に支持したスプールを、一方の側板に設けたハンドルの回転操作で釣り糸巻取り駆動を可能とした魚釣用リールであって、釣竿取付部から離隔する上方に向き、握持する手の親指を係止する上面部と、スプールから軸方向に離隔する外方に向き、握持する手の人差し指を係止する側面部とを有し、これらの上面部と側面部との少なくとも一方に、内側から外縁部に向けて外方および上方に湾曲する湾曲面を形成し、親指の腹部とこの親指の腹部に対向する掌の側面部または人差し指との間で挟持可能な指掛け部を、他方の側板の外周部に沿って配置した魚釣用リールが提供される。
【０００８】
前記指掛け部は、スプールの後方部位から釣り糸を繰り出す前方に向けて延び、外縁部が、前記他方の側板の外周面よりもスプールから上方に離隔した部位に突出する突起部で形成することもできる。
【０００９】
前記側面部は、前記他方の側板の外側面に凹設された面で形成されるものでもよい。
【００１０】
更に本発明によれば、一対の側板間に回転自在に支持したスプールを、一方の側板に設けたハンドルの回転操作で釣り糸巻取り駆動を可能とした魚釣用リールに取付けられ、握持する手で把持可能な指掛け用部材であって、他方の側板の外周部に取付けられたときに、釣竿取付部から離隔する上方に向き、握持する手の親指を係止する上面部と、スプールから軸方向に離隔する外方に向き、握持する手の人差し指を係止する側面部とを有し、これらの上面部と側面部との少なくとも一方に、内側から外縁部に向けて外方および上方に湾曲する湾曲面を形成し、親指の腹部とこの親指の腹部に対向する掌の側面部または人差し指との間で挟持可能な指掛け部を、他方の側板の外周部に沿って形成する指掛け部材が提供される。
【発明の効果】
【００１１】
本発明の魚釣用リールによると、反ハンドル側の側板の外側面の後方から前方に向けての部位に、握持する手の親指を係止する指掛け部を形成することにより、リール本体の釣り竿と直交する左右方向の振れを確実かつ容易に抑制でき、安定した魚釣り操作が行える。
【００１２】
また、上面部と側面部とを有する指掛け部を反ハンドル側に設けた魚釣用リールは、この指掛け部を、親指の腹部とこの親指の腹部に対向する掌の側面部または人差し指とで挟み込んで魚釣用リールを保持する際、上面部と側面部との一方に形成された湾曲面に、親指の腹部、または、この親指の腹部に対向する掌の側面部または人差し指を確実にかつ安定して係止させることができ、更に、掌の中にリール本体を深く握り込む場合には、親指の動きが阻害されず、掌全体で握持した状態でも、安定して確実に保持することができる。
【００１３】
指掛け部が、スプールの後方部位から釣り糸を繰り出す前方に向けて延び、外縁部が、ハンドル側の側板の外周部よりもスプールから上方に離隔した部位に位置する突起で形成される場合には、親指およびこの親指に対向する掌の側部または人差し指を広範囲にわたって接触させることができ、挟持した際の安定性を増大させることができる。
【００１４】
指掛け部の側面部が、側板の外側面に凹設された面で形成されるは、指掛け部と側板との一体構造により、指掛け部を介する魚釣用リールの保持が安定して行える。
【００１５】
反ハンドル側の側板の外周部に取付けられたときに、親指の腹部とこの親指の腹部に対向する掌の側面部または人差し指との間で挟持可能な指掛け部を形成する指掛け用部材によると、指掛け部が設けられていない魚釣用リールに取付けることにより、親指の腹部、または、この親指の腹部に対向する掌の側面部または人差し指を確実にかつ安定して係止させることができ、更に、掌の中にリール本体を深く握り込む場合には、親指の動きが阻害されず、掌全体で握持した状態でも、安定して確実に保持することができる指掛け部を、魚釣用リールに簡単に形成することができる。
【発明を実施するための最良の形態】
【００１６】
図１から図４は、本発明の好ましい実施形態による魚釣用リール１０を示す。
【００１７】
図１に全体を示すように、本実施形態の魚釣用リール１０は、両軸受型手巻きリールとして形成してある。この魚釣用リール１０のリール本体１２は、支柱１４ｃ（図３，４参照）で一体化される左右一対の側枠１４ａ，１４ｂのそれぞれの外側に、例えばビス、螺合あるいは嵌合等の結合手段により、略卵形状の外形（図２参照）を有する外側板１６ａ，１６ｂを取付けて、全体的に剛性構造に形成され、釣竿取付部１８を介して釣竿８に固定される。これらの側枠１４ａ，１４ｂおよび外側板１６ａ，１６ｂが結合されて、左右の側板１５ａ，１５ｂを形成する。
【００１８】
釣糸が巻回されるスプール２０は、支柱１４ｃと共にリール本体１２のフレームを形成する左右の側枠１４ａ，１４ｂ間に回転自在に支持され、左外側板１６ａは、スプール２０を回転駆動させる巻取り駆動部２２を支持し、この左外側板１６ａ内に左側枠１４ａで区画された左側板１５ａの空間内に、この巻取り駆動部２２の駆動力伝達系やドラグ系等の各種機構が収容される。
【００１９】
このリール本体１２の側板１５ａ，１５ｂには、スプール２０を装着してこのスプール２０と共に回転するスプール軸２０ａの両端部が、例えば図示のようなボール軸受２４ａ，２４ｂを介して回転自在に支持されている。このスプール軸２０ａの一端側から左側枠１４ａを通して左側板１５ａ内に突出する端部は、このスプール軸２０ａの端部から一体で同軸状に延長されたピニオン軸として形成してあり、このピニオン軸上にハンドル２６で回転駆動されるピニオン２８が移動可能に支持されている。
【００２０】
このピニオン２８は、ピニオン軸が挿通する筒状構造を有し、左側板１５ａ内に支えられた軸受（図示しない）により、リール本体１２に対して回転可能かつ軸方向に移動可能に支持されている。左右の側板１５ａ，１５ｂ間に配置されたクラッチレバー３０を介してクラッチ機構３２をＯＮ／ＯＦＦ操作することにより、ピニオン２８は、図１に示すようにスプール軸２０ａに嵌合してスプール軸２０ａと一体的に回転する係合位置と、スプール軸２０ａとの係合状態が解除された非係合位置との間を移動することができる。
【００２１】
このピニオン２８の移動は、ピニオン２８に形成された周溝２８ａに係合するヨーク３４を、クラッチ機構３２のＯＮ／ＯＦＦ操作に連動させて、スプール軸２０ａの軸方向に沿って移動することで行うことができ、ピニオン２８が図１に示す係合位置に配置されたときに、クラッチＯＮの釣糸巻取可能状態となり、図示しない非係合位置では、クラッチＯＦＦのスプールフリー回転状態となる。このクラッチＯＦＦの状態からハンドル２６を回転すると、図示しない復帰機構を介して、クラッチＯＮの状態に復帰することができる。
【００２２】
更に、左側板１５ａ内には、一端に締付けナット３６でハンドル２６を取付けられたハンドル軸２６ａがピニオン２８と平行に配置されており、このハンドル２６を回転することにより、ピニオン２８が回転駆動される。
【００２３】
このハンドル軸２６ａは、図示しない軸受を介して左側板１５ａで回転可能に支持されている。このハンドル軸２６ａをハンドル２６側で支える軸受は、左外側板１６ａの略円筒状に突出する突出部１６ｃに設けてあり、この突出部１６ｃ内には、ハンドル軸２６ａの釣糸巻回方向への回転を許容し、逆方向の回転を阻止する図示しない一方向クラッチを配置することができる。
【００２４】
また、ハンドル軸２６ａには駆動歯車４０が装着されており、この駆動歯車４０を介してハンドル軸２６ａの回転をピニオン２８に伝達すると共に、スプール２０上に釣糸を均等に巻回するレベルワインド機構４２を作動することができる。このレベルワインド機構４２は、スプール２０の前方側で左右の側板１５ａ，１５ｂ間に延びる筒体４４に摺動自在に係合子４４ａを装着し、この筒体４４内に延設した螺軸の一端に配置した連動歯車４６を上述の駆動歯車４０の小径部で回転駆動するものである。螺軸が駆動歯車４０で回転駆動されると、螺軸の外周面に設けたトラバース溝（図示しない）に係合する釣糸案内体４４ａが筒体４４と平行に延びるガイド軸４４ｂに沿って左右に摺動する。これにより、釣糸案内体４４ａに形成されたラインガイド４４ｃ（図４参照）を通して、釣糸がスプール２０上に均等に釣糸を巻回される。
【００２５】
図２に示すように、本実施形態の魚釣用リール１０は、スプール軸２０ａおよびハンドル軸２６ａの軸方向に沿ってハンドル２６の反対側から見た軸方向視あるいは側面視で、右の側板１５ｂが前後方向（釣り竿８の軸方向）に長い楕円状、長円状又は卵形状の外形を有しており、ハンドル２６を配置した左の側板１５ａよりも上下方向（釣り竿８の軸芯に垂直な方向）の長さが短く掌の全体に包み込み易い外形に形成してある。本実施形態では、左の側枠１４ａの外周面１７ａが釣竿取付部１８を超えて下方に延び、一方、右の側枠１４ｂの外周面１７ｂは、釣竿取付部１８の上方に配置した左右非対称の構造に形成してあるが、握持し易い適宜の大きさおよび形状であれば、これらの外周面１７ａ，１７ｂが同じ外形形状を有するものであってもよい。
【００２６】
この魚釣用リール１０は、ハンドル２６の反対側に位置する右側板１５ｂの外周部に、釣竿取付部１８から離隔する上方に向き、握持する手の親指を係止する上面部４８と、スプール２０から軸方向に離隔する外方に向き、握持する手の人差し指を係止する側面部５０とを有する指掛け部５２を配置してあり、例えば、この指掛け部５２を、親指の腹部とこの親指の腹部に対向する掌の側面部または人差し指との間に挟むことでも、右の側板１５ｂ側の全体を握持する手に包み込むことなく、この魚釣用リール１０を保持することが可能な構造に形成してある。また、上面部４８に握持する手の親指を当てつけて保持することにより、上面部４８の親指係止作用で、リール本体１２の左右方向の振れを抑制することができる。
【００２７】
図１から図３に示すように、本実施形態の指掛け部５２は、スプール２０の後方部位に対応する部位、または、クラッチレバー３０が側枠１４ｂで支えられる部位の上方位置から、外側板１６ｂの上側すなわち釣竿取付部１８の反対側の外周面上を、側枠１４ｂの外周面１７ｂに沿って、スプール２０の前方部位に対応する部位まで、延びている。この指掛け部５２は、スプール２０の上方部位の少なくともこのスプール２０にほぼ重なる範囲で、この指掛け部５２を挟持し易い位置に配置することが好ましい。
【００２８】
この指掛け部５２の上面部４８は、外側板１６ｂの外面に接する内縁部４８ａが、隣接する側枠１４ｂの外周面１７ｂとの間に段差を形成することなく、外側板１６ｂに滑らかに移行する曲線状に延在する。図示の内縁部４８ａの前方部位は、ハンドル軸２６ａの軸線Ｐ上の略上方位置に対応し、この位置からスプール２０の上方部位を回ってクラッチレバー３０に対応する位置まで延びる。
【００２９】
そして、この上面部４８の内側に位置する内縁部４８ａから、外方および上方（又は、半径方向外方）に向けて、図３，４に示すように、凹面状に湾曲しつつ外縁部４９まで、上面部４８が延びる。この外縁部４９は、図１に示すように、平面視で前後方向の中央部が側枠１４ｂの外周面１７ｂから軸方向外方に突出し、後部および前部が内方に移行する曲線状に形成される（外側に凸状に湾曲する弧状）。この上面部４８は、ほぼ中央部で最も幅広に形成され、前部および後部に向けて次第に幅が狭まる。この上面部４８は、内縁部４８ａよりも外縁部４９が上方すなわち半径方向外方に位置し、特に、前後方向における中央部および前部は、スプール軸２０ａに沿う断面で見たときに、凹面状の湾曲面を形成することが好ましい。
【００３０】
このような上面部４８は、図４の（Ａ）に示すような緩やかに立上がる湾曲面で形成してもよく、または、図４の（Ｂ）に示すように急激に立上がる状態の湾曲面で形成してもよい。図４の（Ａ）に示すような緩やかに立上がる湾曲面で上面部４８を形成する場合は、側枠１４ｂから外方に大きく突出する幅広で、かつ、側枠１４ｂの外周面１７ｂから半径方向外方への突出量が少ない低背構造に形成される。また、図４の（Ｂ）に示すように急激に立上がる湾曲面で上面部４８を形成した場合は、幅狭で、かつ、側枠１４ｂの外周面１７ｂからの半径方向外方への突出量が大きい背高構造に形成される。いずれの場合も、外縁部４９を丸め、把持した手に痛みを与えない構造に形成する。
【００３１】
一方、図２から図４に示すように、指掛け部５２の側面部５０も、外側板１６ｂの側面すなわち外面に接する内縁部５０ａが、この外側板１６ｂの曲面との間に段差を形成することなく、上面部４８の内面部４８ａとほぼ同じ範囲にわたって滑らかに前後方向に延びる。
【００３２】
この側面部５０は、内側に位置する内縁部５０ａから、上方および外方（軸方向外方）に向けて、図３、図４に示すように凹面状に湾曲しつつ外縁部４９まで延びる。この外縁部４９は、図２、図３に示すように、ハンドル２６側の側板１５ａの外周部１７ａの配置位置を超えてスプール２０から上方に離隔する部位まで突出する突起部の外周縁部として形成される。
【００３３】
指掛け部５２がこのような突起部で形成されることにより、上面部４８および側面部５０の領域または面積を十分大きくすることができ、親指およびこの親指に対向する掌の側部または人差し指を広範囲にわたって接触させることができ、挟持した際の安定性を増大させることができる。
【００３４】
この側面部５０は、図４に示すように、スプール２０の軸方向に沿う側板１５ｂの断面内でみたときに、外方に開口させて凹設された湾曲面が好ましい面で形成される。そして、外縁部４９は、内側の内縁部５０ａよりも外方に突出した位置に配置される。したがって、この側面部５０は、上方部位又は半径方向外方の外縁部４９が、外方すなわちスプール２０から軸方向に離隔する方向に突出した張出し部を形成する。
【００３５】
このように形成された指掛け部５２は、外縁部４９を挟む上面部４８と側面部５０とが、それぞれ凹面状の湾曲面で形成されることにより、この側面部５０と上面部４８との間の間隔すなわち指掛け部５２の肉厚は、外縁部４９に向けて次第に薄くなり、把持し易い厚さとなる。
【００３６】
このような指掛け部５２をハンドル２６と反対側の側板１５ｂに形成した魚釣用リール１０では、親指の腹部とこの親指の腹部に対向する掌の側面部または人差し指とで指掛け部５２挟み込んで魚釣用リールを保持することができ、この際、それぞれ湾曲面で形成された上面部４８と側面部５０とに、親指の腹部と、この親指の腹部に対向する掌の側面部または人差し指とを確実にかつ安定して係止させ、この指掛け部５２を介して側板１５ｂを親指及び人差し指で挟持した状態で確実にかつ安定して保持できる。更に、掌の中にリール本体１２を深く握り込む場合には、親指の動きが阻害されず、掌全体で握持した状態でも、安定して確実に保持することができる。これにより、釣り糸の巻取り操作やフッキング操作等の魚釣り操作を容易に行うことができる魚釣用リールが形成される。
【００３７】
また、この側面部５０が、側板１５ｂの外側板１６ｂに凹設された湾曲面で形成されることにより、指掛け部５２と側板１５ｂとが一体構造に形成され、指掛け部５２を介する魚釣用リール１０の保持を安定して行うことができる。
【００３８】
このような指掛け部５２を形成する上面部４８と側面部５０とは、双方に湾曲面を形成することが握持の安定性および確実性を確保する上で好ましいものであるが、指掛け部５２を、親指の腹部とこの親指の腹部に対向する掌の側面部または人差し指との間で挟持することができるものであれば、上面部４８と側面部５０との一方にのみ、このような湾曲面を形成してもよい。また、その間に親指と人差し指とで挟持することのできる領域を確保できるものであれば、適宜の湾曲面で形成することが可能である。
【００３９】
このような湾曲面で形成される指掛け部５２は、側板１５ｂの周部に沿う前後方向の長さをスプールの外径を含む程度に形成し、幅については、上面部４８の幅Ｗ１が５〜１５ｍｍ程度、側面部５０の幅Ｗ２が５〜１５ｍｍ程度であることが好ましい。また、この湾曲面の凹設深さすなわち最深部と外縁部４９との間の寸法または高低差は、上面部４８で１〜５ｍｍ（半径方向寸法）、側面部５０で２〜１０ｍｍ（軸方向寸法）に形成することが好ましい。更に、側板１５ｂを親指と人差し指との間で深く握り込んだときに、安定して保持することができ、かつ、掌全体で握り込んだときに親指の操作を阻害しないために、外縁部４９が側枠１４ｂの外周面１７ｂを超えて、スプール２０の外周から半径方向外方の上方に離隔する部位まで突出する寸法Ｈ１は、１〜１０ｍｍ程度とし、側枠１４ｂから軸方向外方に突出する寸法Ｌ１は、１０〜１５ｍｍ程度とすることが好ましい。
【００４０】
図５は、他の実施形態による指掛け部５２を示す。なお、以下に説明する実施形態あるいは変形例は、基本的には上述の実施形態と同様であるため、同様な部位には同様な符号を付し、その詳細な説明を省略する。
【００４１】
図５に示す指掛け部５２は、上面部４８を深く凹設し、高低差の大きな湾曲面で形成してある。この上面部４８は、側枠１７ｂの外周面１７ｂに沿って延びる内縁部４８ａから下方すなわちスプール軸２０ａ側に下降し、幅方向のほぼ中央部で最深部に達した後、外縁部４９に向けて上昇する。この外縁部４９は側枠１４ｂの外周面１７ｂよりも突出しない。
【００４２】
側面部５０は、外側板１６ｂの外周面との境界を形成する内縁部５０ａから外方に湾曲しつつ外縁部４９まで延びる凸面状の湾曲面を形成する。したがって、この内縁部５０ａは、側面部５０と、外側板１６ｂの外周面とのそれぞれの湾曲した傾斜面で挟まれた溝底状または谷底状に延在する。
【００４３】
このような指掛け部５２によれば、外縁部４９の上方および外方への突出量が極めて小さく、したがって、掌全体で魚釣用リール１０の右側板１５ｂを包み込むように握持したときに、親指の動きが阻害されることなく、自由に操作することが可能である。また、上面部４８がその中央部で最も深い凹面状に形成され、側面部５０の内縁部５０ａが谷底状に延在するために、これらの上面部４８に親指を係止し、側面部５０に掌の内側側面部または人差し指の付根部分をあてがって係止したときに、確実にかつ安定して保持することができる。
【００４４】
この上面部４８の深さすなわち最深部と上縁部４９との間の半径方向距離Ｈ２は、１〜５ｍｍ、最大幅すなわち内縁部４８ａと外縁部４９の最も外方に突出した部位との間の軸方向寸法Ｌ２は、１０〜２０ｍｍ程度に形成することが好ましい。また、側面部５０の最大深さすなわち内縁部５０ａと外縁部４９の最も外方に突出した部位との間の軸方向距離Ｌ３は、２〜４ｍｍ、最大幅すなわち内縁部５０ａと外縁部４９の最も上方に突出した部位との間の半径方向寸法Ｈ３は、５〜１０ｍｍ程度に形成することが好ましい。
【００４５】
図６は、更に他の実施形態による指掛け部５２を示す。
【００４６】
この指掛け部５２は、上側面４８が側枠１４ｂと外側板１６ｂとにわたって形成してあり、内縁部４８ａは、側枠１４ｂの軸方向内側の側面に沿って延びる。上側面４８は、この内縁部４８ａから湾曲しながら下降し、外側板１６ｂ上で最深部を形成したのち、外縁部４９まで延びる。一方、側面部５０は、外縁部４９から外側板１６ｂに凹設された状態に内方に湾曲しながら下降し、最深部に達した後に再度外方に湾曲しながら内縁部５０ａまで延び、外側板１６ｂの外側面に、全体に凹面状の湾曲面を形成する。外縁部４９は、図５の（Ａ）に示す平面視で、外側板１６ｂとほぼ同じ位置まで外方に突出し、上方には、図５の（Ｂ）に示すように、側枠１４ｂの外周面１７ｂよりも僅かに突出する。
【００４７】
この指掛け部５２は、図５に示す実施形態と同様に、外縁部４９の突出量は僅かであり、掌全体で魚釣用リール１０の右側板１５ｂを包み込むように握持したときに、親指の動きが阻害されることなく、自由に操作することが可能である。更に、上側面４８が側枠１４ｂの外周面から外側板１６ｂにわたって形成されるため、幅広構造に形成することができ、特に親指を安定した状態で係止することができる。また、側面部５０が外側板１６ｂの外側面に形成されるために、広範囲にわたって形成することができる。
【００４８】
この上面部４８の深さＨ４は、１〜５ｍｍ、最大幅Ｌ４は、１０〜２０ｍｍ程度に形成することが好ましい。また、側面部５０の最大深さＬ５は、２〜１０ｍｍ程度、幅Ｈ５は、１５〜３０ｍｍ程度に形成することが好ましい。
【００４９】
指掛け部５２を、上述のように側板１５ｂに一体的に形成する他、側板１５ｂを構成する外側板１６ｂと側枠１４ｂとの一方又は双方に、着脱可能な部材で形成することもできる。
【００５０】
図７および図８は、指掛け部５２を側板１５ｂに着脱自在で、側板１５ｂに取付けたときに上述のような指掛け部５２を形成する指掛け用部材６０を示す。
【００５１】
この指掛け用部材６０は、例えば外側板１６ｂに矩形状の溝または孔状に形成した装着部６２に嵌合部５４を、上方から嵌合し、固定ネジ６４でこの側板１５ｂに固定することにより、上述と同様な上面部４８と側面部５０とを有する指掛け部５２をこの側板１５ｂから突出させた状態に設けることができる。
【００５２】
この指掛け用部材６０は、嵌合部５４が装着部６２に対応した矩形形状および肉厚に形成され、固定ネジ６４が挿通される挿通孔５６が肉厚方向に貫通させて形成されている。また、固定部５４と指掛け部５２との間には、外側板１６ｂの外周面に当接して支えられる支持面５８を形成してあり、固定ネジ６４を中心として回転するのを阻止し、更に、上面部４８を介して作用する力を側板１５ｂに伝達する。
【００５３】
このような指掛け用部材６０によれば、指掛け部５２の形状、大きさ、材質または触感が異なるものを予め複数準備しておくことができ、使用状況または好みに応じて適宜に交換することができる。指掛け部５２の交換は、固定ネジ６４だけで行うことができ、しかも、この固定ネジ６４の頭部を外部から操作できるように配置しておくことで、極めて簡単に行うことができる。この固定ネジ６４の頭部は、外側板１６ａに形成した座ぐり穴に沈めておくことが好ましい。
【００５４】
なお、支持面５８は、上面部４８側に設けてもよく、更に、上面部４８と側面部５０との双方の側に設けてもよい。また、上面部４８および側面部５０は図示のような凸面状の湾曲面に代え、少なくとも一方を、図１から図６に示す実施形態のような凹面状の湾曲面で形成することも可能である。
【００５５】
このような固定ネジ６４に代え、図９に変形例として示すように、外側板１６ｂから装着部６２内に突出する突起６６と、固定部５４に形成した嵌合溝６８とを嵌合させることにより、指掛け用部材６０を側板１５ｂに抜け止め固定してもよい。この指掛け用部材６０の交換は、外側板１６ｂを側枠１４ｂから取外すことで行うことができる。固定ネジ６４が不要となるため、外側板１６ｂの外面を滑らかにすることができる。
【００５６】
以上、本発明の種々の実施形態および変形例について説明したが、本発明はいずれかの実施形態または変形例で特定されるものではなく、様々な変更および組合せが可能なことは明らかである。
【００５７】
上述のような上面部４８と側面部５０との少なくとも一方に、内側から外縁部４９に向けて外方および上方に凸面状または凹面状に湾曲する湾曲面を形成し、親指の腹部とこの親指の腹部に対向する掌の側面部または人差し指との間で挟持可能な指掛け部５２を、反ハンドル側の側板１５ｂの外周部に沿って配置するものであれば、上面部４８と側面部５０との少なくとも一方に、適宜の滑り止め手段を一体的にまたは別個に設けてもよく、また、図７から図９に示す指掛け用部材６０の側面部５０が魚釣用シール１０の外側板１６ｂの外面との間に段差を形成することなく連続する状態に形成してもよい。上面部４８についても同様である。
【図面の簡単な説明】
【００５８】
【図１】本発明の好ましい実施形態による魚釣用リールを示す平面図。
【図２】図１の魚釣用リールの側面図。
【図３】図１の魚釣用リールの概略的な斜視図。
【図４】図１のＩＶ−ＩＶ線に沿う部分を断面として後方からみた状態の説明。
【図５】他の実施形態による魚釣用リールの一部の説明図。
【図６】更に他の実施形態による魚釣用リールの一部の説明図。
【図７】更に他の実施形態による魚釣用リールの一部の説明図。
【図８】図７のＶＩＩＩ−ＶＩＩＩ線に沿う説明図。
【図９】図８の変形例による魚釣り用リールの一部の説明図。
【符号の説明】
【００５９】
１０…魚釣用リール、１２…リール本体、１４ａ，１４ｂ…側枠、１６ａ，１６ｂ…側板、１８…釣竿取付部、２０…スプール、２６…ハンドル、４８…上面部、４９…外縁部、５０…側面部、５２…指掛け部。
【図１】
2009247321.tif 000003
【図２】
2009247321.tif 000004
【図３】
2009247321.tif 000005
【図４】
2009247321.tif 000006
【図５】
2009247321.tif 000007
【図６】
2009247321.tif 000008
【図７】
2009247321.tif 000009
【図８】
2009247321.tif 000010
【図９】
2009247321.tif 000011